(57)【要約】【課題】装置を大型化することなく透明フィルム部材を取り付けることのできる画像読取装置及び画像形成装置を提供する。【解決手段】シートを画像読取位置に搬送してシートの画像を読み取ると共に、画像が読み取られた後、シート搬送方向下流側に搬送されるシートを透明フィルム部材１８により案内する。そして、固定手段１７ａ，１７ｂ，２２ａ，２２ｂにより、透明フィルム部材１８を保持し、画像読取装置本体２２に着脱自在に固定される保持部材１７のシート搬送方向と直交する幅方向の両端を、画像読取装置本体２２に固定するようにする。【選択図】図５
2008072248.tif 000002
【特許請求の範囲】
【請求項１】
シートを画像読取位置に搬送してシートの画像を読み取る画像読取装置において、
前記画像読取位置に搬送されて画像が読み取られた後、シート搬送方向下流側に搬送されるシートを案内する透明フィルム部材と、
前記透明フィルム部材を保持し、画像読取装置本体に着脱自在に固定される保持部材と、
前記保持部材のシート搬送方向と直交する幅方向の両端を前記画像読取装置本体に固定する固定手段と、を備えたことを特徴とする画像読取装置。
【請求項２】
前記固定手段は、前記画像読取装置本体に設けられた係止部と、前記保持部材の幅方向の両端に設けられ、前記画像読取装置本体の係止部に係止される被係止部とにより構成されることを特徴とする請求項１記載の画像読取装置。
【請求項３】
前記請求項１又は２記載の画像読取装置と、前記画像読取装置により読み取った画像情報に基づいて画像を形成する画像形成部と、を備えたことを特徴とする画像形成装置。
【発明の詳細な説明】
【技術分野】
【０００１】
本発明は、画像読取装置及び画像形成装置に関し、特に画像情報が読み取られた後のシートを案内する透明フィルム部材を取り付けるための構成に関する。
【背景技術】
【０００２】
従来、デジタル複写機、プリンタ、ファクシミリ等の画像形成装置においては、画像形成部と、画像読取装置とを備え、画像形成部により、画像読取装置によって読み取った画像情報に基づいて画像を形成するようにしたものがある。
【０００３】
この画像読取装置の読み取り方法として、シートである原稿をプラテンガラス上に載置した後、圧板により原稿をプラテンガラスに密着させ、この状態で画像読取部を走査させることにより画像を読み取る方法がある。
【０００４】
また、プラテンガラスの所定の画像読取位置の下方に画像読取部を固定し、この画像読取位置上を、原稿を一定の速度で搬送することにより、画像を読み取る方法（以下、流し読みという）がある。なお、このような流し読みの際、画像読取位置を通過した原稿は、画像読取位置の下流側に設けられたガイド部材に受け渡された後、排紙ローラ対によって装置外へ排出される。
【０００５】
ところで、このような画像読取装置において、画像読取位置に、画像が読み取られた原稿を下流側ガイド部材へ受け渡すための透明フィルム部材を設けたものがある（例えば、特許文献１参照。）。
【０００６】
この透明フィルム部材は、図６に示すように、画像読取装置本体２８に着脱自在に固定されるシート押え板２１に固定されている。そして、例えば透明フィルム部材２２を清掃する場合には、シート押え板２１と一体に透明フィルム部材２２を取り外すようにしている。
【０００７】
一方、透明フィルム部材２２を画像読取装置本体２８に取り付ける場合は、プラテンガラス２５上に置いたシート押え板２１を矢印ｃに示す原稿搬送方向へ差し込むようにする。
【０００８】
このように、シート押え板２１を差し込むと、シート押え板２１に設けられたロック爪２１ｃが、画像読取装置本体２８に設けられたロック穴２８ａに係止され、透明フィルム部材２２はシート押え板２１を介して画像読取装置本体２８に装着される。
【０００９】
【特許文献１】特開２００３−４６７２２号公報
【発明の開示】
【発明が解決しようとする課題】
【００１０】
ところで、このような従来の画像読取装置においては、シート押え板２１のロック爪２１ｃは、図６に示すように、シート押え板２１の原稿搬送方向側端に突設されている。そして、このようにロック爪２１ｃを原稿搬送方向側端に突設した場合、少なくともロック爪２１ｃの突出分、画像読取装置の原稿搬送方向の長さが長くなり、画像読取装置が大型化する。
【００１１】
そこで、本発明は、このような現状に鑑みてなされたものであり、装置を大型化することなく透明フィルム部材を取り付けることのできる画像読取装置及び画像形成装置を提供することを目的とするものである。
【課題を解決するための手段】
【００１２】
本発明は、シートを画像読取位置に搬送してシートの画像を読み取る画像読取装置において、前記画像読取位置に搬送されて画像が読み取られた後、シート搬送方向下流側に搬送されるシートを案内する透明フィルム部材と、前記透明フィルム部材を保持し、画像読取装置本体に着脱自在に固定される保持部材と、前記保持部材のシート搬送方向と直交する幅方向の両端を前記画像読取装置本体に固定する固定手段と、を備えたことを特徴とするものである。
【発明の効果】
【００１３】
本発明のように、画像が読み取られた後のシートを案内する透明フィルム部材を保持する保持部材を固定する際、保持部材の幅方向の両端を画像読取装置本体に固定することにより、装置を大型化することなく透明フィルム部材を取り付けることができる。
【発明を実施するための最良の形態】
【００１４】
以下、本発明を実施するための最良の形態について図面を用いて詳細に説明する。
【００１５】
図１は、本発明の実施の形態に係る画像読取装置の斜視図、図２はその断面図である。
【００１６】
図１及び図２において、５０は画像読取装置であり、この画像読取装置５０は、読取ユニット５１、原稿読取搬送部５を備えた圧板ユニット１、及び操作部１２を備えている。
【００１７】
読取ユニット５１は、原稿を読み取るためのプラテンガラス６と、プラテンガラス６の下方に配された画像読取部である密着型イメージセンサ１６を備えている。
【００１８】
また、圧板ユニット１は、原稿をプラテンガラス６に押し付けるためのものであり、図３に示すように読取ユニット５１のユニット本体５２に、ヒンジ３を介して開閉に保持されている。また、この圧板ユニット１の下面にはプラテンガラス上に載置された原稿を読み取る時に原稿をプラテンガラス６に密着させるための白地板２が取り付けられている。
【００１９】
また、圧板ユニット１の上部には複数枚の原稿Ｄが載置可能な原稿載置台４が設けられており、この原稿載置台４には原稿Ｄの搬送方向と直交する幅方向にスライド可能なスライダ４ａが設けられている。そして、このスライダ４ａにより原稿載置台４上に載置された原稿Ｄの両端を揃えることができるようになっている。
【００２０】
密着型イメージセンサ１６は、光源としてのＬＥＤアレイから原稿Ｄの画像情報面に光を照射し、画像情報面で反射した反射光をセルフォックレンズ（登録商標）でセンサ素子に結像して画像情報を読取るものである。
【００２１】
なお、この密着型イメージセンサ１６は、図２の矢印で示す左右方向に移動可能となっており、静止した原稿の画像を読み取る時は、図中の右側を走査することで原稿画像を読取るようになっている。また、この密着型イメージセンサ１６は、原稿読取搬送部５により搬送された原稿を流し読みにて読取る場合は、図２に示す位置で固定され、搬送されてくる原稿Ｄを読取る構成となっている。
【００２２】
原稿読取搬送部５は、原稿載置台４に載置された原稿Ｄを送り出すピックアップローラ８、ピックアップローラ８により送り出された原稿Ｄを分離する分離パット９を備えている。また、分離パット９により１枚ずつ分離された原稿Ｄを搬送し、固定された密着型イメージセンサ１６の上方を通過させる搬送ローラ１３を備えている。
【００２３】
なお、図２において、７は搬送ローラ１３の円弧と同一形状の略Ｕ字状の原稿搬送路（以下、Ｕターンパスという）である。このＵターンパス７には、ピックアップローラ８に当接している予備搬送部材１０、原稿Ｄの有無を検出する原稿有無センサ１１、排紙ローラ１４及び原稿Ｄの先端部及び後端部を検出する原稿エッジセンサ１５等が配置されている。
【００２４】
このような原稿読取搬送部５においては、操作者が原稿Ｄを原稿載置台４に載置するとき、原稿Ｄの読取画像面を上側にしてセットされるようになっており、原稿Ｄがセットされると、原稿有無センサ１１が原稿有りを検知する。
【００２５】
そして、操作者が操作部１２から読取開始を指示すると、ピックアップローラ８が回転し、これに伴い予備搬送部材１０によりピックアップローラ８に当接している原稿Ｄがピックアップローラ８と分離パット９により１枚ずつに分離されて搬送される。この後、分離された原稿Ｄは搬送ローラ１３によって、Ｕターンパス７に沿って搬送され、さらに密着型イメージセンサ１６が停止している画像読取位置へと搬送される。
【００２６】
この後、原稿エッジセンサ１５により原稿Ｄの先端部が検知されると、その位置から所定量搬送されたところで、密着型イメージセンサ１６による画像情報の読取りが開始される。
【００２７】
ここで、密着型イメージセンサ１６の上方には、図４に示すように原稿をプラテンガラス６へ押圧するための押圧手段２０が設けられている。この押圧手段２０により、画像を読み取る際、原稿Ｄはプラテンガラス６から離れる方向への動きを規制されながら、搬送ローラ１３によりプラテンガラス６上の画像読取位置を通過し、この際、画像が読取られるようになっている。
【００２８】
そして、このように画像が読み取られた原稿は、先端が下流側ガイド部材１９によりすくい上げられ、排紙ローラ対１４に向かう。この後、原稿エッジセンサ１５により原稿Ｄの後端部が検知されると、その位置から所定量搬送されたところで、密着型イメージセンサ１６による画像情報の読取りを終了する。
【００２９】
なお、画像が読み取られた原稿Ｄは、排紙ローラ対１４により圧板ユニット１の上面へと排出される。このようにして、原稿読取搬送部５では、原稿有無センサ１１が原稿無しを検知するまで上述した読取動作を繰り返す。
【００３０】
ところで、押圧手段２０とプラテンガラス６との間には、図４に示すように画像が読み取られた原稿を搬送方向下流側に配された下流側ガイド部材１９へ、ひっかかることなく受け渡すための透明フィルム部材１８が設けられている。なお、このように透明フィルム部材１８を設けた場合、原稿画像は、プラテンガラス６と透明フィルム部材１８を介して、読み取られる。
【００３１】
この透明フィルム部材１８は、一端部が接着剤等により保持部材１７に固定されている。ここで、このように透明フィルム部材１８が固定されている保持部材１７の、原稿搬送方向と直交する幅方向の両端には、図５に示すように被係止部であるロック爪１７ａ，１７ｂが設けられている。
【００３２】
また、図５に示すように、画像読取装置本体の上部を構成するスキャナカバー２２には、ロック爪１７ａ，１７ｂが係止される係止部であるロック穴２２ａ，２２ｂが形成されている。そして、本実施の形態において、このロック穴２２ａ，２２ｂと、ロック爪１７ａ，１７ｂとにより、保持部材１７をスキャナカバー２２（画像読取装置本体）に固定する固定手段が構成される。
【００３３】
そして、透明フィルム部材１８を取り付ける際は、スキャナカバー２２に設けられたロック穴２２ａ，２２ｂにロック爪１７ａ，１７ｂを係止することにより、透明フィルム部材１８が保持部材１７を介してスキャナカバー２２に装着される（図３参照）。
【００３４】
ここで、本実施の形態において、このロック穴２２ａ，２２ｂは、スキャナカバー２２のプラテンガラス６を保持する機能を果たす枠体部分に形成していることから、ロック穴２２ａ，２２ｂを形成した場合でも、スキャナカバー２２の幅方向の長さは変わらない。
【００３５】
つまり、画像が読み取られた後の原稿を案内する透明フィルム部材１８を保持する保持部材１７を固定する際、保持部材１７の幅方向の両端をスキャナカバー２２に固定することにより、画像読取装置本体のシート搬送方向の長さを短くすることができる。この結果、装置を大型化することなく透明フィルム部材を取り付けることができる。
【００３６】
なお、これまでの説明においては、固定手段を構成するロック穴２２ａ，２２ｂをスキャナカバー２２に、ロック爪１７ａ，１７ｂを保持部材１７に設けた場合について述べてきた。しかし、スキャナカバー２２にロック爪を設け、保持部材１７にロック穴を設けるようにしても良い。
【００３７】
また、これまでは画像読取装置単体の構成について述べてきたが、本発明はこれに限らない。例えば、画像読取装置により読み取った画像情報に基づいて画像を形成する画像形成部を備えた画像形成装置に設けられる画像読取装置についても適用できることは言うまでもない。
【図面の簡単な説明】
【００３８】
【図１】本発明の実施の形態に係る画像読取装置の斜視図。
【図２】上記画像読取装置の断面図。
【図３】上記画像読取装置の圧板ユニット開いた状態を示す斜視図。
【図４】上記画像読取装置の要部拡大図。
【図５】上記画像読取装置に設けられた透明フィルム部材が固定された保持部材を取り付ける様子を示す図。
【図６】従来の画像読取装置の透明フィルム部材が固定された保持部材を取り付ける様子を示す図。
【符号の説明】
【００３９】
１        圧板ユニット
５        原稿読取搬送部
６        プラテンガラス
７        Ｕターンパス
１６      密着型イメージセンサ
１７      保持部材
１７ａ，１７ｂ  ロック爪
１８      透明フィルム部材
１９      下流側ガイド部材
２２      スキャナカバー
２２ａ，２２ｂ  ロック穴
５０      画像読取装置
５１      読取ユニット
Ｄ        原稿
【図１】
2008072248.tif 000003
【図２】
2008072248.tif 000004
【図３】
2008072248.tif 000005
【図４】
2008072248.tif 000006
【図５】
2008072248.tif 000007
【図６】
2008072248.tif 000008